(57)【要約】      （修正有）【課題】悪天候に於けるコンクリート打設時の遮蔽が可能であり、過度の日照りによるコンクリートの過剰乾燥を防止できる建物外構工事施工領域の遮蔽構造または建物外構工事施工方法を提供する。【解決手段】シート１０と、バルーン２０と、係止手段３０と、を有し、バルーン２０は大気より密度の小さい気体を封入するバルーン２０であり、係止手段３０はシート１０をバルーン２０の浮力に対し所定場所に繋ぎ止める係止手段３０である。【選択図】図１
2009228346.tif 000002
【特許請求の範囲】
【請求項１】
大気より比重の小さい気体を封入したバルーンを内側に収納したシートを係止手段によって建物外構工事施工領域周囲の地盤及び／又は地盤の付属物及び／又は地盤上の静止物に繋ぎ止めてなることを特徴とする建物外構工事施工領域の遮蔽構造。
【請求項２】
単一のバルーンをシート内側に収納する請求項１記載の建物外構工事施工領域の遮蔽構造。
【請求項３】
バルーン外側面とシート内側面との接合位置を可変とする接合手段を設ける請求項１又は請求項２記載の建物外構工事施工領域の遮蔽構造。
【請求項４】
前記シートが外部から内部を視認できる様に少なくとも一部に透明部を有する請求項１〜請求項３のいずれか一に記載の建物外構工事施工領域の遮蔽構造。
【請求項５】
前記シートの周囲の前記係止手段間が凹曲線を形成する請求項１〜請求項４のいずれか一に記載の建物外構工事施工領域の遮蔽構造。
【請求項６】
シートが親水性を有する請求項１〜請求項５のいずれかに一に記載の建物外構工事施工領域の遮蔽構造。
【請求項７】
シートで建物外構工事施工領域を被覆する工程と、
シートを係止手段によって建物外構工事施工領域周囲の地盤及び／又は地盤の付属物及び／又は地盤上の静止物に繋ぎ留める工程と、
建物外構工事施工領域を被覆したシートの内側に、大気より比重の小さい気体を封入したバルーンを収納する工程と、
シートによって被覆された建物外構工事施工領域に所要の建物外構工事を行う工程と、からなることを特徴とする建物外構工事施工方法。
【請求項８】
前記バルーンをシートの内側に浮遊状態で収納する収納する請求項７記載の建物外構工事施工方法。
【請求項９】
バルーン外側面とシート内側面との接合位置を可変とする接合手段を設け、バルーンをシートの内側に位置決めして収納し、接合手段によってバルーン外側面とシート内側面とを接合する請求項７記載の建物外構工事施工方法。
【請求項１０】
シートの内側に収納したバルーンを所要の建物外構工事を行なった後にシートの内側から取り出して前記シートによって前記所要の建物外構工事を行なった領域を被覆する工程と、前記シートによって被覆した状態で前記所要の建物外構工事を行なった領域の養生を行う工程とを行う請求項７〜請求項９のいずれか一に記載の建物外構工事施工方法。
【発明の詳細な説明】
【技術分野】
【０００１】
本発明は、コンクリート工事等の建物外構工事施工領域の遮蔽構造及び建物外構工事施工方法に関し、特に建物の玄関に向かうアプローチや自動車の駐車領域の整備を行うための建物外構工事を行う際の建物外構工事施工領域の遮蔽構造及び建物外構工事施工方法に関する。
【背景技術】
【０００２】
従来、駐車場や土間若しくは建物の玄関に向かうアプローチ等の建物外構工事施工領域にコンクリート打設等のコンクリート工事を行う際には、雨天の際の工事は困難であることから、雨天ではない日を選んで施工を行うことが一般であった。しかし、例え晴天を選んで施工を行ったとしても天候が変わらないという保障はなく、天候が変わり雨が降った場合には、コンクリート工事を中止し、既設部分には適正な乾燥を行うために養生シートを被覆することによって養生する様にされていた。
【０００３】
特許文献１は、フィルダムのコア盛立て工事等において、コア盛立て面に仮設屋根を架けることで雨や雪を遮断することを目的とし、屋根シートと、屋根シートを下方から支持するネットと、ネットに連結し大気より密度の小さいガスを封入した気球と、気球の浮力に抗してネットを地上に繋ぎ止める係止手段とからなる浮上屋根を開示する。
【０００４】
この特許文献１に開示された浮上屋根は屋根シートに対し多数の気球を連結するネットを設けた極めて大がかりな設備であり、コストが大きく、フィルダムのコア盛立て工事等の大規模でかつ特殊な工事に用途が限定され、汎用性がないという問題があった。
特許文献２は、ビル天井部周縁の仮設足場に着脱自在に取付け、かつ内側に浮力部材を内装するビル構築用シートを用いるビル構築工法を開示する。
この特許文献２に開示されたビル構築用シートを用いるビル構築工法もビル構築を目的とした大がかりな工法であり、コストが大きく、ビル構築工事に用途が限定され、簡易な建物外構工事の施工に適用できる様には構成されてはおらず、やはり汎用性がないという問題があった。
【０００５】
【特許文献１】特開平６−３０７１２６号公報
【特許文献２】特開平７−７１１２０号公報
【発明の開示】
【発明が解決しようとする課題】
【０００６】
本発明は、従来技術に於ける問題点に鑑み、特に簡易な建物外構工事の施工に適用でき、天候の如何に関わらず建物外構工事の施工が行われる領域の態様に応じて安価に効率よく建物外構工事を行うことができる建物外構工事施工領域の遮蔽構造及び建物外構工事施工方法を提供することを目的とする。
【課題を解決するための手段】
【０００７】
本発明の建物外構工事施工領域の遮蔽構造は、大気より比重の小さい気体を封入したバルーンを内側に収納したシートを係止手段によって建物外構工事施工領域周囲の地盤及び／又は地盤の付属物及び／又は地盤上の静止物に繋ぎ止めてなることを特徴とする。
【０００８】
係る本発明における建物外構工事は、例えば駐車領域等を造営するためのコンクリート工事や、玄関アプローチにタイルを貼るタイル工事若しくは石工事であり、さらに建物に隣接する庭園の除草等の作業も含まれる。
【０００９】
単一のバルーンをシート内側に浮遊状態で収納するようにしてもよい。
【００１０】
バルーン外側面とシート内側面との接合位置を可変とする接合手段を設けることができる。
【００１１】
前記シートが外部から内部を視認できる様に少なくとも一部に透明部を有するようにしてもよい。
【００１２】
前記シートの周囲の前記係止手段間が凹曲線を形成するようにしてもよい。
【００１３】
シートが親水性を有するようにしてもよい。
【００１４】
本発明の建物外構工事施工方法は、シートで建物外構工事施工領域を被覆する工程と、シートを係止手段によって建物外構工事施工領域周囲の地盤及び／又は地盤の付属物及び／又は地盤上の静止物に繋ぎ留める工程と、建物外構工事施工領域を被覆したシートの内側に、大気より比重の小さい気体を封入したバルーンを収納する工程と、シートによって被覆された建物外構工事施工領域に所要の建物外構工事を行う工程と、からなることを特徴とする。
【００１５】
前記バルーンをシートの内側に浮遊状態で収納する収納してもよい。
【００１６】
バルーン外側面とシート内側面との接合位置を可変とする接合手段を設け、バルーンをシートの内側に位置決めして収納し、接合手段によってバルーン外側面とシート内側面とを接合してもよい。
【００１７】
シートの内側に収納したバルーンを所要の建物外構工事を行なった後にシートの内側から取り出して前記シートによって前記所要の建物外構工事を行なった領域を被覆する工程と、前記シートによって被覆した状態で前記所要の建物外構工事を行なった領域の養生を行う工程とを行うようにすることができる。
【発明の効果】
【００１８】
本発明の建物外構工事施工領域の遮蔽構造または建物外構工事施工方法によれば、建物外構工事施工領域を被覆したシートの内側に、大気より比重の小さい気体を封入したバルーンを収納して所要の建物外構工事を行うので雨天等の天候の如何に関わらず、建物外構工事の施工が行われる領域の態様に応じて安価に効率よく建物外構工事を行うことができる。しかも建物外構工事を行う際の日照によってコンクリートが過剰に乾燥する等の品質の劣化をも簡易に防止することができる。
【発明を実施するための最良の形態】
【００１９】
［第一の実施の形態］
以下に、本発明における実施の形態を図面を参照して説明する。
図１（ａ）の断面図、（ｂ）の平面図に示すように、本建物外構工事施工領域の遮蔽構造１は、シート１０と、バルーン２０と、係止手段３０と、を有する。
建物外構工事施工領域４０は例えば屋外の駐車場や建物の玄関に向かうアプローチである。
【００２０】
平面状のシート１０は、外部から内部を視認できる若しくは内部から外部を視認できる様に少なくとも一部に透明部を有することによって、内部作業者の閉塞感を防止し、かつ内部作業者の状態を外部から見守る様にすることができる。本実施の形態ではシート１０として略正方形状のビニル製シートを用いる例を示し、略正方形の各頂点に係止手段３０を有する態様を示した。
【００２１】
シート１０の内側に収納されるバルーン２０には、大気より密度の小さい気体を封入する。このバルーン２０に封入する大気より密度の小さい気体には、入手の容易さ及びコストの点からヘリウムガスを用いるのが便宜である。本実施の形態では、コンパクトサイズのシート１０内側に単一のバルーン２０が収納され、シート１０内側にバルーン２０が浮遊状態で収納されても、特にはシート１０内側における建物外構工事の障害となることはなく、しかも遮蔽構造１全体が簡易にかつコンパクトで安価に設営される。
【００２２】
係止手段３０は、シート１０をバルーン２０の浮力に抗して建物外構工事施工領域４０周囲の地盤に繋ぎ止める。具体的には地盤に固定したリング３０ａにシート１０の四隅に取り付けた条体（紐）３０ｂを結びつけて係止手段３０となすことができる。また係止手段３０は、略正方形状のシート１０の各頂点に引掛孔を形成し、一端に錘具が取り付けられた連設具の他端が引掛孔に引っ掛けられる様にしてもよい。
【００２３】
シート１０内側面とバルーン２０外側面とは接合位置を可変とする接合手段である接合具５０で接合される。この接合位置を可変とする接合手段としては例えばシート１０内側面とバルーン２０外側面のそれぞれに接着する両面テープを用いるのが簡便であり、また安価でもある。なお、実施の態様によっては特には接合具５０を用いずバルーン２０がシート１０内側で拘束されずに浮遊する構造としてもよい。
【００２４】
図に示される実施の形態の建物外構工事施工領域の遮蔽構造１では、シート１０内側にバルーン２０を収納し、リング３０ａにシート１０の四隅に取り付けた条体（紐）３０ｂを結びつけた状態で、シート１０の周囲の係止手段３０間が、凹曲線１１を形成する形状にシート１０が予め作製される。これによって遮蔽構造１内外間の通気の円滑が確保され、建物外構工事が夏季に行われる際の雰囲気調整には好便であり、また内外間の音声による意思疎通が円滑に行われる。
【００２５】
なお実施の態様によってはシート１０が親水性、すなわち、水になじむ性質を備える様にすることによって、雨天時に、雨水は水滴にならずに広がり、水滴によって内外間の視認性が阻害されることはなく、またシート１０の表面についた汚れの下に水の膜が入り込み、汚れを浮かして流すセルフクリーニング効果を得ることができる。その手段としては光触媒がつくり出す強力な親水状態を利用することができる。逆にシートが撥水性を有する様にしてもよい。
【００２６】
図２に、図１に示す建物外構工事施工領域４０の遮蔽構造１によって本発明の建物外構工事施工方法を実施する各工程のフローチャートを示す。係るフローチャートを参照して本発明の建物外構工事施工方法の実施の形態を以下に説明する。
【００２７】
図２に示される様に、本実施の形態の建物外構工事施工方法は、シート１０で建物外構工事施工領域４０を被覆する工程と、シート１０を係止手段３０によって建物外構工事施工領域４０周囲の地盤に繋ぎ留める工程と、建物外構工事施工領域４０を被覆したシート１０の内側に、大気より比重の小さい気体を封入したバルーン２０を収納する工程と、シート１０によって被覆された建物外構工事施工領域４０に所要の建物外構工事を行う工程と、からなる。
【００２８】
なお、以上の工程中でシート１０の建物外構工事施工領域４０内側全域を暖める様にすることにより、建物外構工事が冬季に行われる際の作業領域の暖房機能をシート１０によって実現することができる。しかも、建物外構工事施工領域４０の遮蔽構造１自体は極めた簡易にかつコンパクトに構成されるので、シート１０の建物外構工事施工領域４０内側全域を暖めるための暖房器具としては、市販の簡易な電気ストーブ等を用いることができる。
【００２９】
以上の実施の形態の建物外構工事施工方法ではバルーン２０をシート１０の内側に浮遊状態で収納してもよく、バルーン２０外側面とシート１０内側面とを接合具５０によって位置決めして接合し、バルーン２０をシート１０の内側に収納してもよい。
【００３０】
さらに図３に示されるようにシート１０の内側に収納したバルーン２０を所要の建物外構工事を行なった後にシート１０の内側から取り出した後、所要の建物外構工事を行なった建物外構工事施工領域４０をシート１０によってそのまま被覆して建物外構工事を行なった後の建物外構工事施工領域４０の養生を行う様にしてもよい。これによってシート１０を建物外構工事施工領域４０の遮蔽構造１としてのみならず、建物外構工事後の養生用としてもそのまま転用することができる。  
【００３１】
以上の実施の形態の建物外構工事施工領域４０の遮蔽構造１及び建物外構工事施工方法によれば、シート１０と、大気より密度の小さい気体を封入するバルーン２０と、シート１０をバルーン２０の浮力に対し地盤に繋ぎ止める係止手段３０と、を有することにより、地盤に繋ぎ留めた状態であるシート１０が建物外構工事施工領域４０内側に収納したバルーン２０の浮力で地盤と接触せずに建物外構工事施工領域４０を被覆する様にすることができ、雨天時に建物外構工事を行う際の遮蔽が可能である。
【００３２】
［第二の実施の形態］
図４に本発明の第二の実施の形態の建物外構工事施工領域の遮蔽構造１を示す。この実施の形態では他は第一の実施の形態と同様として、シート１０の１辺が係止手段３０によって地盤の付属物である建造物６０に取り付けられる点が第一の実施の形態と異なる。
【００３３】
この実施の形態では建造物６０を利用して遮蔽構造１の内側空間を効率よく拡大することができる。しかもシート１０内側面とバルーン２０外側面は接合位置を可変とする接合手段である接合具５０、例えばシート１０内側面とバルーン２０外側面のそれぞれに接着する両面テープが用いられるので、建造物６０を利用する場合でもシート１０内側の適切な位置にバルーン２０を収納してシート１０内側面に接合することができる。
【００３４】
［第三の実施の形態］
図５に本発明の第三の実施の形態の建物外構工事施工領域の遮蔽構造１を示す。この実施の形態では他は第一の実施の形態及び第二の実施の形態と同様として、シート１０の１辺が係止手段３０によって地盤上の静止物である自動車７０に取り付けられる点が他の実施の形態と異なる。
【００３５】
この実施の形態では自動車７０を利用して遮蔽構造１の内側空間を効率よく拡大することができる。しかも自動車７０は必要な位置を適宜に選んで地盤上に静止させることができ、必要な位置に建物外構工事施工領域の遮蔽構造１を自在に設けることができる。
【００３６】
［第四の実施の形態］
図６に本発明の第四の実施の形態の建物外構工事施工領域の遮蔽構造１を示す。この実施の形態では他は第一の実施の形態と同様として、シート１０内側面にはその中央部１０ａと、略正方形に形成されたシート１０の各頂点の係止手段３０とシート１０中央部１０ａ間の略中間位置及びシート１０中央部１０ａに接合具５０を介してバルーン２０ａ，ｂ，ｃ，ｄ，ｅが接合される。しかも、シート１０中央部１０ａに接合されるバルーン２０ａは他のバルーン２０ｂ，ｃ，ｄ，ｅよりも大きな容積を有するものとされる。
【００３７】
この実施の形態ではシート１０中央部１０ａに接合されるバルーン２０ａの他にバルーン２０ｂ，ｃ，ｄ，ｅを備え、しかもシート１０中央部１０ａに接合されるバルーン２０ａは他のバルーン２０ｂ，ｃ，ｄ，ｅよりも大きな揚力を生じることによって、遮蔽構造１の内側空間の形状を整え、遮蔽構造１の内側空間の容積を効率よく拡大することができる。
【図面の簡単な説明】
【００３８】
【図１】本発明の第一の実施の形態の建物外構工事施工領域の遮蔽構造の（ａ）断面模式図、（ｂ）平面図である。
【図２】本発明の実施の形態の建物外構工事施工方法の工程フローチャートである。
【図３】本発明の実施の形態の建物外構工事施工方法の他の工程フローチャートである。
【図４】本発明の第二の実施の形態の建物外構工事施工領域の遮蔽構造の断面模式図である。
【図５】本発明の第三の実施の形態の建物外構工事施工領域の遮蔽構造の断面模式図である。
【図６】図６本発明の第四の実施の形態の建物外構工事施工領域の遮蔽構造の（ａ）断面模式図、（ｂ）平面図である。
【符号の説明】
【００３９】
１・・・・遮蔽構造
１０・・・シート
２０・・・バルーン
３０・・・係止手段
４０・・・建物外構工事施工領域
５０・・・接合具
６０・・・建造物
【図１】
2009228346.tif 000003
【図２】
2009228346.tif 000004
【図３】
2009228346.tif 000005
【図４】
2009228346.tif 000006
【図５】
2009228346.tif 000007
【図６】
2009228346.tif 000008